(57)【要約】【課題】ピンポン現象を抑制して移動機トフラフィックチャネルを適切に切替え可能なハンドオフ制御方法を提供する。【解決手段】ソース基地局に接続された基地局制御装置が、移動機のハンドオフ先候補となる基地局からのパイロット信号の受信レベルが、ソース基地局からのパイロット信号の受信レベルよりも高く、その差が所定の閾値を超えたことを検知した時、上記移動機の監視状態を通常状態からＨＨＯ抑制状態に遷移し、ＨＨＯ抑制状態にある移動機が受信するソース基地局からのパイロット信号の受信レベルが、予め設定された最小閾値よりも低下した時点で、上記移動機を上記候補基地局にハンドオフするための通信手順を実行する。【選択図】図６
2007243758.tif 000002
【特許請求の範囲】
【請求項１】
符号分割多重接続(ＣＤＭＡ)方式の移動無線システムにおける無線基地局間での移動機のハンドオフ（ＨＨＯ：Hard Handoff）制御方法であって、
移動機と通信中のソース基地局に接続された基地局制御装置が、
上記移動機のハンドオフ先候補となる基地局からのパイロット信号の受信レベル（Candidate Pilot Strength）が、ソース基地局からのパイロット信号の受信レベル（Active Pilot Strength）よりも高く、その差が所定の閾値（Ｔ_ＣＯＭＰ）を超えたことを検知した時、上記移動機の監視状態を通常状態からＨＨＯ抑制状態に遷移し、
ＨＨＯ抑制状態にある移動機が受信するソース基地局からのパイロット信号の受信レベル（Active Pilot Strength）が、予め設定された最小閾値よりも低下した時点で、上記移動機を上記候補基地局にハンドオフするための通信手順を実行することを特徴とするハンドオフ制御方法。
【請求項２】
前記基地局制御装置が、
前記ＨＨＯ抑制状態にある移動機が受信するソース基地局からのパイロット信号の受信レベル（Active Pilot Strength）と、前記ハンドオフ先候補となる基地局から受信するパイロット信号の受信レベル（Candidate Pilot Strength）との関係が、ＨＨＯ抑制状態への遷移条件から外れた時、上記移動機を通常状態に戻して監視することを特徴とする請求項１に記載のハンドオフ制御方法。
【請求項３】
前記基地局制御装置が、
前記ソース基地局を介して、前記ＨＨＯ抑制状態にある移動機にパイロット信号強度の通知要求（ＰＭＲＯ）を周期的に送信し、
上記移動機からの応答メッセージ（ＰＳＭＭ）が示すパイロット信号強度情報に基づいて、該移動機のハンドオフの実行要否を判定することを特徴とする請求項１または請求項２に記載のハンドオフ制御方法。
【請求項４】
前記基地局制御装置が、
前記ＨＨＯ抑制状態にある移動機におけるフレームエラーレートが所定の閾値を超えた時、該移動機を前記候補基地局にハンドオフするための通信手順を実行することを特徴とする請求項１〜請求項３の何れかに記載のハンドオフ制御方法。
【請求項５】
前記基地局制御装置が、
前記ＨＨＯ抑制状態にある移動機からフレームエラーレート通知メッセージ（ＰＭＲＭ）を受信した時、受信メッセージが示すフレームエラーレートを所定の閾値と比較し、フレームエラーレートが上記所定閾値を超えていた場合は、上記移動機を前記候補基地局にハンドオフするための通信手順を実行し、フレームエラーレートが上記所定閾値を超えていなかった場合は、前記ソース基地局を介して、上記移動機に対してパイロット信号強度の通知要求（ＰＭＲＯ）を送信した後、該移動機へのパイロット信号強度通知要求の周期的な送信を繰り返すことを特徴とする請求項１〜請求項３の何れかに記載のハンドオフ制御方法。
【発明の詳細な説明】
【技術分野】
【０００１】
本発明は、移動無線システムにおけるハンドオフ制御方式に関し、更に詳しくは、互いに異種ネットワークに属する基地局間におけるハードハンドオフ制御方式に関する。
【背景技術】
【０００２】
無線通信分野では、通信方式の異なる各種の無線通信システムが導入されている。携帯電話用の第３世代の無線通信システムとして、複数ユーザの音声信号にそれぞれ異なる拡散符号を適用し、符号拡散された複数の音声信号を合成して、1つの周波数で搬送する符号分割多重接続（ＣＤＭＡ：Code Division Multiple Access）技術を用いた無線通信システムがある。ＣＤＭＡ２０００  １ｘ  ８００ＭＨｚ方式の無線通信システムの詳細な構成や動作については、例えば、社団法人電波産業会（ＡＲＩＢ：Association of Radio Industries and Businesses）の標準規格「ＡＲＩＢ_ＳＴＤ−Ｔ５３」（非特許文献１）で規定されている。
【０００３】
移動無線通信システムは、無線エリアを常時移動中の移動機によって使用されるため、移動機と基地局との間の電波の状態、すなわち受信レベルが、基地局（アンテナ）と移動機との距離や、その間に存在する電波干渉／減衰の要因によって変化する。移動機が移動して通話品質が劣化した場合、現在通信中の基地局から、受信レベルが良好になる別の基地局に切り替えて通話サービスを継続するチャネル切替え（ハンドオーバーまたはハンドオフ）が必要となる。ＣＤＭＡにおけるチャネル切替え（ハンドオフ手順）については、非特許文献１のＡＲＩＢ_ＳＴＤ−Ｔ５３−Ｃ.Ｓ０００５−０ｖ３の２．６．６．３章で詳述されている。
【０００４】
上記規格では、ハンドオフが円滑に行われるよう、呼処理の手順を定めている。どのような通信状態でハンドオフを起動するかの判定は、各キャリアの仕様や、装置メーカが提供する端末機器の機能に依存する。通常、同一メーカが提供する統一のとれた基地局によってネットワークを構成する場合、ハンドオフ方式としては、通話品質を良好に維持し易いソフトハンドオフ（ＳＨＯ）が採用される。
【０００５】
ハンドオフ方式には、移動中の移動機が、基地局からの受信電波の強度レベルに応じて最適な基地局に切り替えるハードハンドオフ（ＨＨＯ）がある。ＨＨＯ方式は、原理的に、移動機が通信中に、基地局制御装置を介して基地局間でハンドオフ通信手順が実行されるため、基地局の切替え時に音声の瞬間的な途切れが発生し、無線環境によってはフレーム誤り率ＦＥＲ（Frame Error Rate）が上昇し、通話品質が劣化し易い。また、ＨＨＯの起動条件は、受信電波の強度のみで規定されているため、複数基地局の無線エリアが重畳するエリアでハンドオフが頻繁に発生する。
【０００６】
【非特許文献１】ＡＲＩＢ_ＳＴＤ−Ｔ53  社団法人電波産業会発行
【発明の開示】
【発明が解決しようとする課題】
【０００７】
ＣＤＭＡ方式の移動体通信網において、同一ネットワークに属する基地局間では、音声品質に優れたソフトハンドオフを採用できる。しかしながら、互いに異なるネットワークに属する基地局間では、それぞれの基地局にインタフェース仕様やハンドオフ実現方式に差があるため、コスト的にＳＨＯ方式の採用が困難となり、実現の容易なＨＨＯ方式が採用される。
【０００８】
標準規格に準拠した移動通信システムでは、各移動機が、現在通信中の基地局（ソース基地局）に対して、この基地局からのパイロット（Active Pilot）信号の受信レベル（Pilot Strength）とフレームエラーレートＦＥＲを定期的に通知している。また、各移動機は、ソース基地局以外の別の基地局からのパイロット（Candidate Pilot）信号の受信レベル（Pilot Strength）が、予めソース基地局からオーバーヘッド情報として報知されている閾値（Ｔ_ＡＤＤ値）を超えると、制御メッセージであるＰＳＭＭ（Pilot Strength Measurement Message）によって、上記Candidate Pilot信号の受信レベル（Candidate Pilot Strength）をソース基地局に通知する。ＰＳＭＭを送信した移動機は、その後もソース基地局との通信を継続し、Active PilotとCandidate Pilotの受信レベル測定を繰り返す。
Candidate Pilot StrengthがActive Pilot Strengthを越え、そのレベル差が予め報知されている所定の閾値（Ｔ_ＣＯＭＰ値）を越えると、移動機は、制御メッセージＰＳＭＭによって、Candidate Pilotの受信レベルがハンドオフの起動条件を満足したことをソース基地局に通知する。ソース基地局に接続された基地局制御装置は、上記通知に応答してＨＨＯ処理を起動し、上位装置であるＭＳＣ（Mobile Switching Center）にハンドオフ要求メッセージを送信する。
【０００９】
基地局制御装置は、ＭＳＣから応答メッセージを受信すると、ソース基地局を介して、移動機にＨＨＯの指示メッセージＨＤＭ（Handoff Direction Message）を送信する。移動機は、上記ＨＤＭが示すハンドオフ先基地局（Target基地局）情報に基づいてＨＨＯを実行し、接続先基地局をソース基地局からターゲット基地局に切り替える。ＨＨＯが完了すると、ターゲット基地局が移動機の新たなソース基地局となる。
【００１０】
然るに、移動無線システムでは、複数基地局からの電波到達範囲が重畳するエリア（ハンドオフゾーン）において、各基地局が発生する電波以外の外来波や、複数基地局の電波干渉、電波を反射／減衰させる障害物の存在など、多様な無線環境変動要因が共存しており、移動機の受信電波の状況が短時間で急激に変化することが多い。
【００１１】
このため、移動機の移動距離が僅かでも、ソース基地局とターゲット基地局のパイロット信号レベル（Pilot Strength）が急激に変化し、Candidate Pilot Strengthが瞬間的に閾値Ｔ_ＡＤＤを超え、閾値Ｔ_ＣＯＭＰを満たすことによって、ＨＨＯが発生することがある。サービスエリアの状況によっては、基地局アンテナからの距離に対する電波強度分布の一様性が損なわれ、特に、移動機の近傍に干渉波源が存在した場合、移動機における受信電波の変動要因が大きくなるため、受信レベル変動によって結果的に頻繁なＨＨＯが発生する。
【００１２】
ＨＨＯが頻繁に発生すると、移動機の接続先基地局が頻繁に切り替えられ、短い期間に通信の瞬断、通話音声の途切れが増加し、最悪の場合は通話が切断される。このようにＨＨＯが頻発する現象は、ピンポン（Ping-Pong）現象と呼ばれている。
【００１３】
ピンポン現象を抑制するために、例えば、ＨＨＯ条件となる制御パラメータの値（閾値Ｔ_ＡＤＤ、Ｔ_ＣＯＭＰ）を変更した場合、基地局の通信ゾーンが干渉波等によって急激に伸縮し、実際にはＨＨＯを起動してチャネル切り替えすべき状況にあっても、ＨＨＯの起動条件が満足されない、あるいは起動条件を満足する迄に時間がかかるため、ＨＨＯの頻発を抑制できたにも関わらず、結果的に、通話品質劣化が起こり易くなるという問題がある。
従って、ピンポン現象を抑制して、端末ユーザに安定した高品質の通信サービスを提供するためには、上述した制御パラメータ値の変更に代わる新たなＨＨＯ制御方法が必要となる。
【００１４】
本発明の目的は、移動機受信電波が短時間に急変する環境において、ピンポン現象を抑制して移動機トフラフィックチャネルを適切に切替え可能なハンドオフ制御方法を提供することにある。
本発明の他の目的は、特にＨＨＯが必要となる移動無線通信ネットワークにおいて、簡易な設定手順で品質に優れた通信サービスを実現可能なハンドオフ制御方法を提供することにある。
【課題を解決するための手段】
【００１５】
上記目的を達成するため、本発明によるハンドオフ制御方法は、移動機と通信中のソース基地局に接続された基地局制御装置が、移動機のハンドオフ先候補となる基地局からのパイロット信号の受信レベル（Candidate Pilot Strength）がソース基地局からのパイロット信号の受信レベル（Active Pilot Strength）よりも高く、その差が所定の閾値（Ｔ_ＣＯＭＰ）を超えたことを検知した時、上記移動機の監視状態を通常状態からＨＨＯ抑制状態に遷移し、ＨＨＯ抑制状態にある移動機が受信するソース基地局からのパイロット信号の受信レベル（Active Pilot Strength）が、予め設定された最小閾値よりも低下した時点で、上記移動機を上記候補基地局にハンドオフするための通信手順を実行することを特徴とする。
【００１６】
更に詳述すると、本発明によるハンドオフ制御方法は、上記基地局制御装置が、ＨＨＯ抑制状態にある移動機が受信するソース基地局からのパイロット信号の受信レベル（Active Pilot Strength）と、ハンドオフ先候補となる基地局から受信するパイロット信号の受信レベル（Candidate Pilot Strength）との関係が、ＨＨＯ抑制状態への遷移条件から外れた時、上記移動機を通常状態に戻して監視することを特徴とする。
【００１７】
本発明の１実施例では、上記基地局制御装置が、ＨＨＯ抑制状態にある移動機に対して、ソース基地局を介して、パイロット信号強度の通知要求（ＰＭＲＯ）を周期的に送信し、上記移動機からの応答メッセージ（ＰＳＭＭ）が示すパイロット信号強度情報に基づいて、該移動機のハンドオフの実行要否を判定する。また、上記基地局制御装置が、ＨＨＯ抑制状態にある移動機におけるフレームエラーレートが所定の閾値を超えた時、該移動機を前記候補基地局にハンドオフするための通信手順を実行する。
【発明の効果】
【００１８】
本発明によれば、ハンドオフのピンポン現象を抑制して、通話品質を良好に維持したＣＤＭＡ方式の無線通信システムを提供できる。また、ハンドオフが抑制された状態において、ソース基地局のパイロット信号の受信レベルが最小閾値を下回っていなくても、フレームエラーレートＦＥＲが上昇して所定閾値を超えた場合には、ハンドオフを実行することによって、音声品質の劣化が大きくなる前に、別の基地局への切替えが可能となる。
【発明を実施するための最良の形態】
【００１９】
以下、無線チャネルの切替え制御方法の１実施例について、図面を参照して詳細に説明する。
本発明のハンドオフ制御方法では、複数の基地局からの電波到達範囲(ゾーン)が部分的に重なり合う領域において、移動機で受信されるパイロット信号が従来のチャネル切替え（ハードハンドオフ：ＨＨＯ）条件を満した時、直ちにハンドオフを実行するのではなく、移動機をＨＨＯ抑制状態にして、その後のパイロット信号の受信レベル（以下、Pilot Strengthと言う）の時間的な推移と、フレーム誤り率ＦＥＲ（Frame Error Rate）を監視し、ＨＨＯの実行要否と実行タイミングを判断することに特徴がある。
【００２０】
図１は、本発明が適用される無線通信ネットワークの構成例を示す。
ここに例示した無線通信ネットワークは、無線通信ネットワーク１００Ａと、ベンダーの異なる無線通信ネットワーク１００Ｂとからなる。これらのネットワークは、無線通信ネットワーク１００Ａに属する移動交換局ＭＳＣ（Mobile Switching Center）４０と、無線通信ネットワーク１００Ｂに属するコールエージェント（Call Agent）装置（以下、ＣＡと言う）１０との間でＩＯＳの標準規格で定められたメッセージフォーマットで通信することにより、互いに結合されている。
【００２１】
無線通信ネットワーク１００Ａには、無線基地局ＢＴＳ（Base Transmission Subsystem）６０を制御するための基地局制御装置ＢＳＣ（Base Station Controller）５０が接続されている。一方、無線通信ネットワーク１００Ｂでは、上記ＣＡ１０に、基地局ＢＴＳ３０を制御するための基地局制御装置ＲＮＣ（Radio Network Control）２０が接続されている。実際の応用においては、ＲＮＣ２０とＢＳＣ５０には、それぞれ複数の無線基地局が収容されるが、ここでは、図面を簡単化するため、ＢＴＳ３０と６０のみが示してある。
【００２２】
基地局ＢＴＳ３０と、ＢＴＳ３０からの電波到達エリア（ゾーン）Ｚｂに位置した移動機ＭＳとの間の通信は、上記ＲＮＣ２０によって制御される。ゾーンＺｂは、ＢＴＳ６０からの電波到達エリア（ゾーン）Ｚａと斜線エリアＺａｂで重なっている。以下の説明では、エリアＺａｂをハンドオフゾーンと言う。
【００２３】
図１では、移動機ＭＳが、ハンドオフゾーンＺａｂ内に位置し、無線通信ネットワーク１００Ｂに属するＢＴＳ３０と通信中の状態を示している。Ｐａは、移動機ＭＳとＢＴＳ３０との間のパイロット信号（Active Pilot）および無線伝播路を意味し、Ｐｔは、移動機ＭＳとＢＴＳ６０との間のパイロット信号（Candidate Pilot）および無線伝播路を意味している。
【００２４】
移動機ＭＳがハンドオフゾーンＺａｂにいる間、無線通信ネットワーク１００ＢのＲＮＣ２０は、移動機ＭＳが受信するＢＴＳ３０からのパイロット信号Ｐａの受信レベルを監視している。パイロット信号Ｐａの受信レベルが低下した場合、あるいは、電波環境の変化によってゾーンＺａが拡大または移動機ＭＳの移動によってパイロット信号Ｐｔの受信レベルが所定レベルにまで増加した場合、ＲＮＣ２０は、後述するように、移動機ＭＳをハンドオフ（ＨＨＯ）抑制状態にして、その後のパイロット信号の受信レベル変化を監視する。
【００２５】
ＲＮＣ２０は、パイロット信号Ｐａの受信レベルが所定閾値にまで低下した時点、あるいは、フレームエラーレートＦＥＲが所定閾値に達した時点で、ＣＡ１０と制御メッセージを交信し、移動機ＭＳの接続先をゾーンＺａのＢＴＳ６０に切り替えるＨＨＯを実行する。ＨＨＯ実行前にパイロット信号Ｐａの受信レベルが回復、あるいは、パイロット信号Ｐｔの受信レベルが低下した場合、移動機ＭＳの状態は、ＨＨＯ抑制状態から平常状態に戻して監視される。
【００２６】
図２は、無線通信ネットワーク１００Ｂに属した基地局制御装置（ＲＮＣ）２０と基地局ＢＴＳ３０のブロック構成図を示している。
ＢＴＳ３０は、移動機ＭＳと通信するためのアンテナ３１と、送受信信号の結合分離部（Combiner & Divider Unit）３２と、結合分離部３２に接続された送受信部（トランシーバ）３３と、信号線３４でトランシーバ３３に接続された制御部３５と、制御部３５に接続されたモデム／チャネル処理部３６とからなる。制御部３５は、プロセッサ３５１と、このプロセッサが実行するＯＶＨＤ処理モジュール３５２と、制御プログラムモジュール３５３とからなり、ＢＴＳ３０内の各ハードウェアの監視と制御を行う。
【００２７】
アンテナ３１からの受信信号は、送受信部３３によってＢＴＳ内部で有効な信号形式に変換した後、制御部３５に供給される。制御部３５は、送受信部３３からの受信信号をモデム／チャネル処理部３６に転送する。この時、制御部３５は、モデム内で使用すべきリソースの割当て制御を行う。モデム／チャネル処理部３６は、受信信号を制御パケットまたはデータパケットに変換し、ＲＮＣ２０の呼処理部２１に転送する。逆に、ＲＮＣ２０からの送信信号（制御パケットまたはデータパケット）は、モデム／チャネル処理部３６から、制御部３５を介してトランシーバに転送される。この時、制御部３５は、使用すべき適切な周波数をトランシーバに指定する。
【００２８】
基地局制御装置（ＲＮＣ）２０は、呼処理部２１と、上記呼処理部２１およびＢＴＳの制御部３５に接続された制御部２２とからなる。制御部２２は、ＲＮＣ内の各ハードウェアの監視／制御のほかに、ＣＡ１０と通信して呼の全体的な制御を行うためのものであり、ＲＮＣのハードウェアおよびＢＴＳ３０の監視／制御を行うプロセッサ２２１と、呼制御部（ルーチン）２２２と、呼処理部２１でＨＨＯを実行すべきものと判断した時、ＣＡ１０やＢＴＳ３０などの外部装置と通信して、ＨＨＯを制御するハンドオフ制御部（ルーチン）２２３とからなっている。呼処理部２１は、モデム／チャネル処理部３６からの受信パケットがデータパケットの場合は、制御部２２を介してＣＡに転送し、制御パケットの場合は、制御メッセージを抽出して、プロセッサ２２１に転送する。
【００２９】
呼処理部２１は、個別の呼処理を行うためのものであり、プロセッサ２１０と、移動機から通知された基地局パイロット信号の受信レベル（Pilot Strength）を判定する受信レベル判定部２１１と、受信フレームに発生した誤り監視するＦＥＲ監視部２１２と、メモリ２１３と、プロセッサ２１０が実行する呼処理プログラム２１４およびＨＨＯ制御部プログラム２１５を備える。
メモリ２１３には、ＢＴＳ３０内が扱っている呼および移動機ＭＳの状態情報が記憶される。移動機ＭＳの状態情報には、受信レベル判定部２１１とＦＥＲ監視部２１２から出力される移動機毎の受信レベルとＦＥＲが含まれる。
【００３０】
ＨＨＯ制御プログラム２１５は、移動機から制御メッセージで通知されたPilot Strengthの受信レベル判定部２１１での判定結果と、ＦＥＲ監視部２１２で監視するフレームの誤り率ＦＥＲの値に基づいて、ＨＨＯの要否を判断し、無線伝播路Ｐａの状態や使用状況に応じてＨＨＯを制御するためのものである。ＨＨＯ制御プログラム２１５は、移動機ＭＳに対して受信レベル通知要求を定期的に発行する機能と、受信レベル通知要求の発行要否を判定する機能を備えている。
【００３１】
移動機ＭＳと基地局との間の電波伝播状態は、一旦急変した後、比較的短時間で元の状態に戻る場合がある。このような状況下でＨＨＯが実行されると、ピンポン現象が発生する。ＨＨＯ制御プログラム２１５は、ピンポン現象を回避するため、移動機からの受信レベル通知には直ちには応答せず（ＨＨＯを実行せず）、ＨＨＯ条件が或る程度安定的に継続することを確認して、隣接する別の基地局へのＨＨＯを実行するように呼を制御する。
【００３２】
以下、ハンドオフゾーンＺａｂにおける電波伝搬の状態変化や、このゾーンＺａｂに発生する事象を交えて、本発明による無線チャネルの切替え（ハンドオフ）制御方法を説明する。
【００３３】
無線通信サービスの提供エリアでは、様々な干渉電波が日常的に存在しているため、図１に示したＢＴＳ３０、６０も、これら干渉波の影響を受けて、ゾーンＺａとゾーンＺｂの境界が一定していない。このため、例えば、移動機ＭＳが、ゾーンＺｂ内のハンドオフゾーンＺａｂに位置している間に、ゾーンＺａのＢＴＳ６０からの送信電波の受信レベルが、ＢＴＳ３０からの受信レベルよりも一時的に高くなり、短時間で元の状態に戻る場合がある。
【００３４】
このような状況下では、移動機ＭＳが現在接続中のＢＴＳ３０の通信チャネルを維持しておいた方が、通話品質の保証、通話の瞬断回避、ハンドオフ実行の通信手順省略の点で有利となる。本発明は、基地局３０で実際に起こり得る電波伝播状況を考慮した上で、ＨＨＯの実行を制御することに特徴がある。
【００３５】
図３は、本発明におけるＨＨＯ起動タイミングの判断をPilot Strengthの観点から説明するために用意された図であり、縦軸はPilot Strength、横軸は時間の経過を示している。
ここでは、ＢＴＳ３０が、ソース（Source）基地局となってActive Pilot信号Ｐａを送信し、ＢＴＳ６０がターゲット（Target）基地局となってCandidate Pilot信号Ｐｔを送信している。また、移動機ＭＳは、ソース基地局３０との間で、ＡＲＩＢ＿ＳＴＤ−Ｔ５３に定められた手順に基づいて通信を実行している。
【００３６】
移動機ＭＳで測定したターゲット基地局６０からの送信電波の受信レベルが、時刻ｔ０で、Candidate Pilotの認識閾値（Ｔ_ＡＤＤ値）を超えると、移動機ＭＳは、制御メッセージＰＳＭＭ（Pilot Strength Measurement Message）によって、現在受信中のPilot Strength情報をソース基地局３０に通知する。その後もCandidate Pilot Strength：Ｐｔが増加し、ＰｔがActive Pilot Strength：Ｐaを超えて、その差が、時刻ｔ１で、閾値（Ｔ_ＣＯＭＰ）以上となった場合、移動機ＭＳは、標準規格に従って、ソース基地局３０に制御メッセージＰＳＭＭを送信し、ソース基地局３０からハンドオフの指示メッセージＨＤＭ（Handoff Direction Message）が返信されるのを待つ。  
本発明のハンドオフ制御方法では、基地局制御装置（ＲＮＣ）２０は、上記ＰＳＭＭを受信した時点ｔ１ではＨＤＭを返送せず、移動機の監視状態をＨＨＤ抑制状態（HHD Holding State）にして、現在のチャネルを維持する。また、HHD Holding State中に、移動機ＭＳの受信レベルの状態を常時監視するため、ＲＮＣ２０の呼処理部２１は、パラメータ（Ｖａｌｕｅ３）で指定された所定の周期で、移動機ＭＳにＰＭＲＯ（Pilot Measurement Request Order）の送信を開始する。
【００３７】
図３では、簡単化のために受信レベル（Pilot Strength）の論理的な推移を示しているが、実際には、各ＢＴＳのPilot Strengthは、干渉波の影響を受けて、例えば、図４に示すように変動する。本実施例において、上記HHD Holding Stateは、次の何れかの条件が満たされた時、解除される。
【００３８】
（１）Active Pilot Strengthが、システム管理者によって設定可能なアクティブパイロット最小閾値：Ｖａｌｕｅ１（Active Pilot Minimum Strength）を下回った時点（図３のｔ２）でＨＨＯを実行して、HHD Holding Stateを解除する。
（２）Ｖａｌｕｅ１の条件を満たさない場合であって、移動機ＭＳから受信するＦＥＲの値が、可変に設定可能なＦＥＲ閾値：Ｖａｌｕｅ２（FER_Threshold）を越えた時、直ちにＨＨＯを実行して、HHD Holding Stateを解除する。
（３）Active PilotとTarget Pilotとの差が、HHD Holding Stateの起点となった閾値（Ｔ_ＣＯＭＰ）を満足できない状態となった時、HHD Holding Stateを解除する。
これらの条件をマトリックスで示すと、図５のようになる。
【００３９】
図６は、ＲＮＣ２０の呼処理部２１で実行されるＨＨＯ制御プログラム２１５のフローチャートを示す。ＨＨＯ制御プログラム２１５は、受信レベル判定部２１１およびＦＥＲ監視部２１２と連携して実行される。以下、図６を参照して、本発明による無線チャネルのＨＨＯ起動／抑制制御について詳細に説明する。図６において、記号Ｆは、監視対象呼が、既にHHD Holding Stateにあるか否かの判定に使用されるフラグである。
【００４０】
プロセッサ２１０は、受信レベル判定部２１１によって、図３で説明した時刻ｔ１、すなわち、Candidate Pilot Strengthが閾値（Ｔ_ＡＤＤ値）を超えたことが検出された時、ＨＨＯ制御プログラム２１５を開始し、先ず、フラグＦを初期状態値０に設定する（Ｓ１００）。呼処理部２１が移動機ＭＳから送信されたＰＳＭＭを受信し、受信レベル判定部２１１が、閾値(Ｔ−ＣＯＭＰ)を使って、HHD Holding State条件（従来のＨＨＤ条件）が満たされているか否かを判断する（Ｓ１０１）。Candidate Pilot Strengthが、Active Pilot Strengthを超え、その差が閾値（Ｔ_ＣＯＭＰ）以上となった時、HHD Holding Stateとなる。
【００４１】
HHD Holding Stateにおいて、プロセッサ２１０は、フラグＦの状態をチェックする（Ｓ１０２）。HHD Holding Stateに入った直後は、フラグＦは初期状態値０となっているため、プロセッサ２１０は、所定周期ＴでＰＭＲＯを送信するＰＭＲＯ送信処理を開始し（Ｓ１０３）、フラグＦの状態値を１に設定して（Ｓ１０４）、端末からのＰＭＲＭの受信の有無を判定する（Ｓ１０５）。尚、ステップＳ１０２でフラグＦが初期状態値でなければ、既にＰＭＲＯの送信処理が開始されているため、プロセッサ２１０は、ステップＳ１０３とＳ１０４を省略して、ステップＳ１０５を実行する。
【００４２】
HHD Holding State中は、Candidate Pilot StrengthがActive Pilot Strengthよりも高く、Active Pilot Strengthも十分な受信レベルを維持している。しかしながら、様々な干渉波やCandidate Pilotの影響を受けて、フレームエラーが発生する場合がある。フレームエラーが発生すると、移動機ＭＳは、制御メッセージＰＭＲＭ（Power Measurement Report Message）によって、現在通信中の基地局３０にフレームエラーの発生を通知する。
【００４３】
呼処理部２１が移動機ＭＳからＰＭＲＭを受信する（Ｓ１０５）と、ＦＥＲ監視部２１２が、端末から通知されたＦＥＲと閾値（Ｖａｌｕｅ２）とを比較し（Ｓ１０６）、ＨＨＯ起動の要否を判定する。ＦＥＲと閾値（Ｖａｌｕｅ２）を超えていた場合、順方向の電波が劣化していることを意味している。この場合、通信品質を維持するため、Active Pilot StrengthがＶａｌｕｅ１を下回らなくても、プロセッサ２１０は、直ちにＨＨＯを実行して（Ｓ１１１）、このプログラムを終了する。上記ステップＳ１１１では、ＲＮＣ２０、ＣＡ１０を介してＭＳＣ４０にハンドオフ要求メッセージが送信され、応答メッセージを受信した時、移動機にＨＨＯ指令メッセージＨＤＭ（Handoff Direction Message）が送信される
ＦＥＲが閾値Ｖａｌｕｅ２を超えていなかった場合、プロセッサ２１０は、HHD Holding Stateを維持するため、移動機ＭＳに制御メッセージＰＭＲＯを送信する（Ｓ１０７）。ＰＭＲＯの送信の都度、ＰＭＲＯの送信周期Ｔがリセットされる。この後、プロセッサ２１０は、送信周期Ｔで移動機ＭＳにＰＭＲＯを送信し（Ｓ１０８）、これに応答して移動機ＭＳが返信するＰＳＭＭが受信されるのを待つ（Ｓ１０９）。移動機ＭＳからＰＳＭＭを受信すると、受信レベル測定部２１１が、Active Pilot Strengthが閾値Ｖａｌｕｅ１を下回ったか否かを判定する（Ｓ１１０）。Active Pilot Strengthが閾値Ｖａｌｕｅ１を下回っていた場合は、プロセッサ２１０は、ＨＨＯを実行し（Ｓ１１１）、このプログラムを終了し、Active Pilot Strengthが閾値Ｖａｌｕｅ１以上の場合は、ステップＳ１０１以降の動作を繰り返す。
【００４４】
尚、ステップＳ１０５で、移動機ＭＳからのＰＭＲＭの受信がなかった場合は、ステップＳ１０８以降の動作が実行される。また、ステップＳ１０１において、Candidate Pilot StrengthとActive Pilot Strengthとの関係が、HHD Holding Stateの条件を満たしていなかった場合、プロセッサ２１０は、ＰＭＲＯの送信を停止し（Ｓ１２０）、フラグＦの値から、HHD Holding State状態にあるか否かを判断する（Ｓ１２１）。
【００４５】
フラグＦが１であれば、プロセッサ２１０は、移動機に制御メッセージＨＤＭを送信し（Ｓ１２２）、ステップＳ１００に戻る。移動機に擬似的なハンドオフを実行させるために、上記ＨＤＭでは、ソース基地局のActive Pilot情報のみが送信される。一般に、移動機は、ハンドオフ要求メッセージＰＳＭＭを送信した後に、基地局からＨＤＭが送信されるのを待っている。ＲＮＣ２０が、HDD Holding Stateになると、移動機はＰＳＭＭを送信しなくなるため、ＲＮＣ２０から擬似的なＨＤＭを送信することによって、移動機に一連のハンドオフ処理を完了させる。
【００４６】
ＨＨＯ抑制状態からＨＨＯ実行に遷移する際の閾値となるＶａｌｕｅ１、Ｖａｌｕｅ２Ｖａｌｕｅ３の最適値は、基地局の設置位置の立地条件によって異なる。そこで、事前に机上判定を行って、例えば、Ｖａｌｕｅ１は、−１０ｄＢ〜−１４ｄＢ、Ｖａｌｕｅ２は、０％、３０％、４０％、５０％、７０％、Ｖａｌｕｅ３は、１秒〜３秒の如く、閾値の範囲を或る程度絞り込んだ上で、現地でのフィールド試験、例えば、Ｃａｌｌ Ｄｒｏｐ数や、ＦＥＲ、音質評価、ＨＨＯ試行回数とＨｏｌｄｉｎｇ発生率の比較試験を行い、基地局毎に最適な値を選択することが望ましい。
【００４７】
各種の試験結果から、例えば、次のような重み付け順位で総合的に判断して、適用すべき最適値を選択できる。
（１）Average FER
（２）Good Count 及び Bad Count 回数
（３）システムＢ -> システムＡの Call Drop 回数
（４）HHO Holding Rate が５０％ 以上
【図面の簡単な説明】
【００４８】
【図１】本発明が適用される無線通信ネットワークの構成例を示す図。
【図２】基地局制御装置（ＲＮＣ）２０と基地局（ＢＳＴ）３０の構成を示すブロック図。
【図３】ハンドオフ（ＨＨＯ）の起動タイミングを説明するための図。
【図４】Active Pilot信号とCandidate Pilot信号の実際の変動を示す図。
【図５】本発明のハンドオフ制御における状態遷移を示すマトリクス図。
【図６】ハンドオフ制御プログラム２１５のフローチャート。
【符号の説明】
【００４９】
１０：ＣＡ（Call Agent）、２０：基地局制御装置（ＲＮＣ）、３０：基地局（ＢＴＳ）、４０：ＭＳＣ（Mobile Switching Center）、５０：基地局制御装置（ＢＳＣ）、
６０：基地局（ＢＴＳ）。
【図１】
2007243758.tif 000003
【図２】
2007243758.tif 000004
【図３】
2007243758.tif 000005
【図４】
2007243758.tif 000006
【図５】
2007243758.tif 000007
【図６】
2007243758.tif 000008